(57)【要約】【課題】液体燃料をポータブル燃焼動力式締結具駆動工具の燃焼室内で使用する気体燃料に変換するための液体燃料供給蒸発器システムを提供すること。【解決手段】燃焼動力式締結具駆動工具で使用する液体燃料供給蒸発器システム（１００）が、工具の燃焼室（１５２）内で生じた熱または熱放射を吸収するように、該工具の燃焼室ハウジング（１５２）に熱的に連通するように配置される蒸発器ハウジング（１０２）を具備している。焼結金属製液体燃料蒸発器素子（１０６）が、蒸発器ハウジングと液体燃料分配マニフォールド（１１４）との間に配置されており、これによって液体燃料が効果的に気体燃料に変換され、該気体燃料が気体分配マニフォールドによって締結具駆動工具の燃焼室（１５２）へ向けて輸送される。【選択図】図１
0003162339.tif 000002
【実用新案登録請求の範囲】
【請求項１】
液体燃料を気体燃料に変換するための液体燃料供給蒸発器システムにおいて、
液体燃料源と、
蒸発プロセスによって液体燃料を気体燃料に変換するための蒸発器素子と、
前記液体燃料源と前記蒸発器素子との間に配置され前記液体燃料源から液体燃料を前記蒸発器素子へ導くための液体燃料分配マニフォールドと、
前記蒸発器素子と熱的に連通するように配置され前記蒸発器素子を加熱して該蒸発器素子が蒸発プロセスによって前記液体燃料を気体燃料に変換可能とする加熱されたハウジングとを具備する液体燃料供給蒸発器システム。
【請求項２】
前記蒸発器素子は焼結金属によって形成されている請求項１に記載の液体燃料供給蒸発器システム。
【請求項３】
前記液体燃料供給源と前記液体燃料分配マニフォールドとの間に配置され、前記液体燃料源から前記液体燃料分配マニフォールド内に所定量の液体燃料を供給するための液体燃料供給弁を更に具備する請求項１に記載の液体燃料供給蒸発器システム。
【請求項４】
前記液体燃料分配マニフォールド内には、前記液体燃料弁によって該液体燃料分配マニフォールドに供給された液体燃料を、前記蒸発器素子の異なる複数の領域に分配するための複数の流体通路が形成されている請求項１に記載の液体燃料供給蒸発器システム。
【請求項５】
前記液体燃料分配マニフォールドは金属によって形成され、かつ、前記加熱されたハウジングに熱的に連通するように配置されており、該加熱されたハウジングによって加熱されるようになっている請求項１に記載の液体燃料供給蒸発器システム。
【請求項６】
前記蒸発器素子は、前記加熱されたハウジングと前記加熱された液体燃料分配マニフォールドとの間に配置されており、前記加熱されたハウジングと前記加熱された液体燃料分配マニフォールドの双方によって加熱されるようになっている請求項５に記載の液体燃料供給蒸発器システム。
【請求項７】
前記加熱された液体燃料分配マニフォールドは、該液体燃料分配マニフォールドの外面部分が前記液体燃料蒸発器素子の内面部分に接触するように、該液体燃料蒸発器素子内に配置されており、前記蒸発器素子は、該蒸発器素子の外面部分が前記加熱されたハウジングの内面部分に接触するように、該加熱されたハウジング内に配置されている請求項６に記載の液体燃料供給蒸発器システム。
【請求項８】
前記加熱されたハウジングには気体燃料放出ポートが形成されており、
前記液体燃料蒸発器素子は、該液体燃料蒸発素子の下流側端部が前記気体燃料放出ポートに連通し気体燃料が前記気体燃料放出ポートへ導かれるように、前記加熱されたハウジング内に配置されている請求項７に記載の液体燃料供給蒸発器システム。
【請求項９】
前記加熱されたハウジングに配設され、内部で気体燃料を燃焼させる燃焼装置へ向けて気体燃料を放出するための複数の気体燃料放出ノズルと、
前記加熱されたハウジング内に配設され、前記気体燃料放出ポートおよび前記複数の気体燃料放出ノズルに連通した気体燃料分配マニフォールドであって、前記気体燃料放出ポートから前記複数の気体燃料放出ノズルへ気体燃料を分配するための気体燃料分配マニフォールドとを更に具備した請求項８に記載の液体燃料供給蒸発器システム。
【請求項１０】
液体燃料を気体燃料へ変換する方法において、
液体燃料源から液体燃料を準備し、
蒸発プロセスによって液体燃料を気体燃料に変換するための蒸発器素子を準備し、
前記液体燃料源から液体燃料を前記蒸発器素子へ導くように、前記液体燃料源と前記蒸発器素子との間に液体燃料分配マニフォールドを配置し、
前記蒸発器素子を加熱して該蒸発器素子が蒸発プロセスによって前記液体燃料を気体燃料に変換可能となるように、前記蒸発器素子と熱的に連通するように加熱されたハウジングを配置することを含んで成る液体燃料を気体燃料へ変換する方法。
【考案の詳細な説明】
【技術分野】
【０００１】
本考案は、概括的に燃焼動力式システムに関し、特に、燃焼動力式装置、例えば燃焼動力式工具、より詳細には燃焼動力式締結具駆動工具と関連して使用される液体燃料供給蒸発器システムであって、該改良された新規の蒸発器システムは、燃焼動力式締結具駆動工具燃焼室内で燃焼させるために、液体燃料を効果的に気体燃料に変換するために用いることができ、気体燃料源はもとより液体燃料源をも燃焼動力式締結駆動工具を駆動するために用いることを可能とする改良された新規の液体燃料供給蒸発器システムに関する。
【０００２】
なお、本願は、２００６年１１月１３日出願の米国特許第60/858,637号出願に基づいており、該米国出願の出願日を主張する。
【背景技術】
【０００３】
適当な燃焼室内に可燃性燃料をを導入または供給するための種々の異なる手段を有したポータブル燃焼動力式工具は周知となっている。こうしたポータブル動力式工具の例が、２００５年７月５日にアダムスに付与された米国特許第6,912,988号、１９９０年３月６日にベルドマンに付与された米国特許第4,905,634号および １９８９年４月１８日にベルドマンに付与された米国特許第4,821,683号に開示されている。こうした特許の開示によれば、ポータブル燃焼動力式工具は、例えば圧縮天然ガス、液体石油ガス、ブタンなどの種々のガス燃料を使用可能となっている。更に、特定の点火サイクルが完了したときに燃焼室内に残留する気体を排気したり、次の点火サイクルの準備および開始のための供給目的で、流入気体燃料の導入を工具の燃焼室内への外気の流れや外気の引き込みを生じさせるために利用している。上記米国特許に開示されているようなポータブル燃焼動力式工具は一般的に満足できるものであるが、こうしたポータブル動力工具には、特に、燃料源として液体燃料を利用する場合に操作上の欠点または制限がある。例えば、燃料源として液体燃料でこうしたポータブル燃料動力式工具を作動させることが望ましい場合がしばしばあるが、液体燃料は先ず気体燃料に変換して、燃料をして適切に燃焼制御可能ならしめることが重要である。燃料の液体から気体への変換に関連して、所定量の液体燃料を供給して、適切な或いは一層正確な空燃量論比を達成できるようにすることが重要である。
【先行技術文献】
【特許文献】
【０００４】
【特許文献１】米国特許第6,912,988号明細書
【特許文献２】米国特許第4,905,634号明細書
【特許文献３】米国特許第4,821,683号明細書
【考案の概要】
【考案が解決しようとする課題】
【０００５】
従って、この技術分野には、例えばポータブル燃焼動力式締結具駆動工具のようなポータブル燃焼動力式工具で使用する燃料供給蒸発器システムであって、燃料供給燃焼室システムが液体燃料を使用可能で、改良された新規の蒸発器システムによって液体燃料が迅速かつ効果的に気体燃料に変換可能で、かつ、ポータブル燃焼動力式締結具駆動工具の燃焼室内で使用する気体燃料に変換するための燃料蒸発器システムへ所定量の液体燃料を供給する供給弁を使用可能な改良された新規の燃料供給蒸発器システムの必要性がある。
【課題を解決するための手段】
【０００６】
上述した目的および他の目的は、燃焼動力式装置、例えば燃焼動力式工具、より詳細には燃焼動力式締結具駆動工具と関連して使用される本考案により改良された新規の液体燃料供給蒸発器システムによって達成される。この改良された新規の燃料蒸発器システムは、燃焼室内で繰り返し生じる燃焼プロセスによって燃焼室ハウジング内で生じ燃焼室ハウジングから放射される熱または熱放射を吸収するように、ポータブル燃焼動力式締結具駆動工具の燃焼室ハウジングに熱的に連通するように配置される蒸発器ハウジングを具備している。
【０００７】
焼結金属製液体燃料蒸発器素子が、蒸発器ハウジングによって加熱されるように同蒸発器ハウジング内に配置されており、液体燃料源から液体燃料分配マニフォールドに供給された液体燃料が、焼結金属製液体燃料蒸発器素子内に供給されるように、液体燃料分配マニフォールドが焼結金属製蒸発器素子内に配置されている。所定量の液体燃料が液体燃料分配マニフォールド内に放出されるように、液体燃料源と液体燃料分配マニフォールドとの間に液体燃料供給弁が配置されている。加熱された蒸発器ハウジングによって焼結金属製液体燃料蒸発器素子が加熱されることによって、焼結金属製液体燃料蒸発器素子内に供給、分散された液体燃料が効果的に液体燃料から気体燃料に効果的に変換され、該気体燃料が、蒸発器ハウジングに組み込まれた気体分配マニフォールドによって、ポータブル燃焼動力式締結具駆動工具の燃焼室へ向けて輸送される。
【図面の簡単な説明】
【０００８】
【図１】本考案の原理と技術とにより構成、改良された新規の液体燃料供給蒸発器システムの略示断面図であり、ポータブル燃焼動力式締結具駆動工具のようなポータブル燃焼動力式装置で使用する液体燃料を蒸発させるための関連部品であって、燃料噴射サイクルの開始以前の種々の構成要素を示した図である。
【図２】改良された新規の液体燃料供給蒸発器システムを構成する種々の構成要素を分解して示す、図１に示した改良された新規の液体燃料供給蒸発器システムの略示分解断面図である。
【図３】燃料噴射サイクルが開示されている、図１と同様の改良された新規の液体燃料供給蒸発器システムの略示断面図である。
【考案を実施するための形態】
【０００９】
本考案の他の特徴および付随する利点は、以下、添付図面を参照して説明する本考案の詳細な説明から明らかとなろう。添付図面において対応する構成要素には同じ参照番号が付されている。
【００１０】
特に、図１、２を参照すると、種々の構成要素を有し、例えば、ポータブル燃焼動力式締結具駆動工具のようなポータブル燃焼動力式装置で液体燃料源を使用可能とするように、燃料噴射サイクルの開始に先立って液体燃料を効果的に蒸発させる、本考案の原理および技術による構成を有し改良された新規の液体燃料供給蒸発器システムの全体が参照番号１００にて指示されている。より詳細には、改良された新規の液体燃料供給蒸発器システム１００は蒸発器ハウジング１０２を具備している。該蒸発器ハウジングは、金属その他の熱伝導性材料から形成され、以下に説明するように、熱を吸収して液体燃料を蒸発させるために必要な熱を提供可能となっている。液体燃料供給蒸発器システム１００が、例えば燃焼動力式締結具駆動工具のような燃焼動力式装置内で使用するようになっていることを考慮して、蒸発器ハウジング１０２はポータブル燃焼動力式締結具駆動工具の燃焼室ハウジングと熱的に連通するように配置され、燃焼室内で繰り返し生じる燃焼の結果、燃焼動力式締結具駆動工具の燃焼室ハウジング内で生成され該燃焼室ハウジングから放出される熱または熱エネルギを吸収するようになっている。図２から理解されるように、蒸発器ハウジング１０２の中心部には、軸方向に延びる切頭円錐形のボア１０４が形成されており、該ボア１０４内に対応した切頭円錐形の焼結金属から形成された液体燃料蒸発器素子１０６が配設されている。液体燃料蒸発器素子１０６の外面部分１０８は、ボア１０４を形成する蒸発器ハウジング１０２の内面部分１１０に対して面接触するようになっている。更に、液体燃料蒸発器素子１０６の中央部には、同様に、軸方向に延びる切頭円錐形のボア１１２が形成されており、該ボア１１２内には、やはり好ましくは適当な金属から対応する切頭円錐形の液体燃料分配マニフォールド１１４が配設されている。液体燃料分配マニフォールド１１４の外面部分１１６は、ボア１１２を形成する液体燃料蒸発器素子１０６の内面部分１１８に面接触するようになっている。
【００１１】
更に、液体燃料分配マニフォールド１１４の上流部分つまり後端部分には座繰穴１２０が形成されており、液体燃料入口継手アクチュエータ１２２を受容するようになっている。液体燃料入口アクチュエータは、図１に示すように、液体燃料供給弁１２４に接続されており、液体燃料分配マニフォールド１１４の座繰穴１２０に液体燃料入口ポート１２６が形成される。液体燃料供給弁１２４は、流体管路１２９によって、例えば、液体石油ガス燃料源１２８に接続されている。こうして、液体燃料入口継手アクチュエータ１２２が実際に作動すると、液体石油ガス燃料源１２８からの液体燃料が、液体入口継手アクチュエータ１２２から所定量だけ液体燃料分配マニフォールド１１４の液体燃料入口ポート１２６内へ供給または噴射される。
【００１２】
更に、液体燃料分配マニフォールド１１４には軸方向に延びる通路またはボア１３０が形成されている。該通路またはボアは液体燃料入口継手アクチュエータ１２２に関して同軸に配置されており、液体燃料分配マニフォールド１１４の中央部から液体燃料分配マニフォールド１１４の先端の方向へ、つまり下流方向へ中心軸線沿いに延設されている。軸方向に離間配置された一対の横断通路または横断ボア１３２、１３４が、軸方向の通路またはボア１３０に接続されている。こうして、液体燃料入口継手アクチュエータ１２２が実際に作動すると、液体石油ガス燃料源１２８からの液体燃料が、液体入口継手アクチュエータ１２２から所定量だけ液体燃料分配マニフォールド１１４の液体燃料入口ポート１２６内へ供給または噴射される。この液体燃料は、更に、軸方向の通路またはボア１３０内に導入され、次いで、横断通路１３２、１３４を介して、焼結金属から形成された液体燃料蒸発器素子１０６内に導入される。焼結金属から成る液体燃料蒸発器素子１０６は多孔質であるので、焼結金属の液体燃料蒸発器素子１０６内に効果的に噴射または供給された液体燃料は、熱または熱放射が蒸発器ハウジング１０２から焼結金属の液体燃料蒸発器素子１０６へ伝達または伝導したときの蒸発の結果として、液体状態から気体状態への変換の準備段階として、焼結金属の液体燃料蒸発器素子１０６内全体に分散する。
【００１３】
更に、図１、２を参照すると、軸方向に延びる切頭円錐形のボア１０２を形成する蒸発器ハウジング１０２の前端部分つまり下流側端部には、環状肩部１３６を形成するために穴が形成されており、焼結金属から切頭円錐形の液体燃料蒸発器素子１０６の下流側端部または前端部分には、図１に示すように、該液体燃料蒸発器素子１０６が蒸発器ハウジング１０２内に設置されたときに環状の肩部１０６に着座する平坦面部分１３８が設けられている。蒸発器ハウジング１０２の環状肩部１３６は、中心に配置された気体燃料放出ポート１４０の周囲を環状に包囲しており、切頭円錐形の焼結金属製の液体燃料蒸発器素子１０６内全体に分散した液体燃料が、該焼結金属製液体燃料蒸発器素子１０６によって、液体状態から効果的に気体状態へ変換されると、気体燃料の流れが気体燃料放出ポート１４０の方へ自然に効果的に導かれる。更に、気体燃料放出ポート１４０は、蒸発器ハウジング１０２の前端部つまり下流側端部に形成されている横断通路１４２の中心部に連通しており、該横断通路は気体燃料分配マニフォールドを形成する。
【００１４】
気体燃料分配マニフォールド１４２の両端部分には、排気ポート１４４、１４６が配設されている。排気ポート１４４、１４６には、一対の気体燃料放出ノズル１４８、１５０が固定されており、例えば、燃焼動力式締結具駆動工具の燃焼室１５２へ向けて気体燃料が放出されるようになっている。蒸発器ハウジング１０２の後端部つまり上流側端部には座繰穴１５４が形成されており、これによって、蒸発器ハウジング１０２に環状肩部１５６が形成される。また、液体燃料分配マニフォールド１１４の後端部分つまり上流側端部には環状フランジ部１５８が形成されている。こうして、液体燃料分配マニフォールド１１４が、図１に示すように、焼結金属製液体燃料蒸発器素子１０６および蒸発器ハウジング１０２内に取付けられると、液体燃料分配マニフォールド１１４のフランジ部１５８が蒸発器ハウジング１０２の座繰穴１５４内に着座し、蒸発器ハウジング１０２の環状肩部１５６に係合する。
【００１５】
改良された新規の液体燃料供給蒸発器システム１００の概ね全ての構成要素を説明したが、以下、図３を参照して、改良された新規の液体燃料供給蒸発器システム１００の操作サイクルを簡単に説明する。より詳細には、液体燃料供給弁１２４が、図１に示すように、ノーマル位置または非作用位置から図３に示す作用位置へ上方へ移動する或いは押し上げられると、液体燃料源から液体燃料管路１２９を介して所定量の液体燃料が、液体燃料供給弁１２４によって液体燃料入口ポート１２６を通じて、液体燃料分配マニフォールド１１４に形成された軸方向の通路またはボア１３０内に供給または噴射される。この液体燃料は、次いで、軸方向の通路またはボア１３０および横断通路１３２、１３４内を流通し、これによって、該液体燃料が、焼結金属製液体燃料蒸発器素子１０６の両側部分の内部へ分配される。
【００１６】
既述したように、蒸発器ハウジング１０２は、例えば燃焼動力式工具の燃焼室ハウジングのような熱源に熱的に連通するように配置されており、かつ、状は付きハウジング１０２は、例えば適当な金属のような熱伝導性材料から形成されているので、蒸発器ハウジング１０２は、工具の燃焼室１５２内で発生し、工具の燃焼室ハウジングから放射される熱または熱放射によって加熱される。液体燃料分配マニフォールド１１４のフランジ部１５８が蒸発器ハウジング１０２の肩部１５６に接触するように、蒸発器ハウジング１０２の座繰穴１５４内に配置された液体燃料分配マニフォールド１１４のフランジ部１５８によって、液体燃料分配マニフォールド１１４は同様に蒸発器ハウジング１０２と熱的に連通するように配置されている。こうして、液体燃料分配マニフォールド１１４は、工具の燃焼室１５２内で発生し工具の燃焼室ハウジングから放射される熱または熱放射によって間接的に、つまり蒸発器ハウジング１０２を通じて加熱され、更に、焼結金属製液体燃料蒸発器素子１０６の内部領域および外部領域の双方が、液体燃料分配マニフォールド１１４および蒸発器ハウジング１０２によって加熱される。更に、焼結金属製液体燃料蒸発器素子１０６の固有の構造上の特性のために、焼結金属製液体燃料蒸発器素子１０６の全ての領域が加熱される。従って、焼結金属製液体燃料蒸発器素子１０６の全体に液体燃料が分散されると、該液体燃料が蒸発して効果的に気体燃料に変換される。
【００１７】
更に、気体燃料は、焼結金属製液体燃料蒸発器素子１０６から下流側の平坦面１３８おｙほび気体燃料放出ポート１４０を通じて放出され、気体燃料分配マニフォールド１４２内に流入する。次いで、気体燃料分配マニフォールド１４２から、気体燃料は一対の気体燃料放出ノズル１４８、１５０から燃焼室１５２内に流入する。気体燃料は、例えば図２に示すように、一対の気体燃料放出ノズル１４８、１５０から燃焼室１５２内に直接導入させることができるが、一対の気体燃料放出ノズル１４８、１５０からベンチュリー式の一対のジェットポンプ１６０、１６２を通して導入するようにしてもよい。気体燃料が一対のベンチュリー式のジェットポンプ１６０、１６２を通過するとき、外気が効果的に該ジェットポンプ内に引き込まれて、図３に示すように、空気と燃料の混合気が形成され燃焼室１５２に導入されるようにしてもよい。ベンチュリー式のジェットポンプ１６０、１６２は、図２に示すように必要に応じて省略してもよく、この場合、外気は、一対の気体燃料放出ノズル１４８、１５０から燃焼室１５２へ導入される気体燃料の流れの中に導入して、空気と燃料の混合気を形成して燃焼室１５２内に導入するようにできる。
【００１８】
こうして、本考案の技術と原理とによれば、例えば燃焼動力式工具、より詳細には燃焼動力式締結具駆動工具のような燃焼動力式装置で使用する、改良された新規の液体燃料供給蒸発器システムが提供される。改良された新規の燃料蒸発器システムは、例えば、燃焼室内で繰り返し生じる燃焼プロセスによって燃焼室ハウジング内で生じ燃焼室ハウジングから放射される熱または熱放射を吸収するように、ポータブル燃焼動力式締結具駆動工具の燃焼室ハウジングに熱的に連通するように配置される蒸発器ハウジングを具備している。焼結金属製液体燃料蒸発器素子が、蒸発器ハウジングによって加熱されるように同蒸発器ハウジング内に配置されており、液体燃料源から液体燃料分配マニフォールドに供給された液体燃料が、焼結金属製液体燃料蒸発器素子内に供給されるように、液体燃料分配マニフォールドが焼結金属製蒸発器素子内に配置されている。液体燃料源と液体燃料分配マニフォールドとの間に液体燃料供給弁が配置されており、所定量の液体燃料が液体燃料分配マニフォールド内に放出される。加熱された蒸発器ハウジングによって焼結金属製液体燃料蒸発器素子が加熱されることによって、焼結金属製液体燃料蒸発器素子内に供給、分配された液体燃料が効果的に液体燃料から気体燃料に変換され、該気体燃料が、蒸発器ハウジングに組み込まれた気体分配マニフォールドによって、ポータブル燃焼動力式締結具駆動工具の燃焼室へ向けて輸送される。ポータブル燃焼動力式締結具駆動工具は、こうして、気体燃料燃料のみによって作動するようになっていても、液体燃料で作動可能となる。
【００１９】
既述の説明に基づいて本考案の多数の変形と修正とが可能であることは当業者の当然とするところである。従って、本考案は、実用新案登録請求の範囲内で、本明細書に記載されている以外の形態でも実施することができよう。
【符号の説明】
【００２０】
１００    液体燃料供給蒸発器システム
１０２    蒸発器ハウジング
１０４    ボア
１０６    液体燃料蒸発器素子
１０８    外面部分
１１０    内面部分
１１２    ボア
１１４    液体燃料分配マニフォールド
１１６    外面部分
１１８    内面部分
１２０    座繰穴
１２２    液体燃料入口継手アクチュエータ
１２４    液体燃料供給弁
１２６    液体燃料入口ポート
１２８    液体石油ガス燃料源
１２９    流体管路
１３０    通路またはボア
１３２    横断ボア
１３４    横断通路
１３６    環状肩部
１３８    平坦面部分
１４０    気体燃料放出ポート
１４２    横断通路（気体燃料分配マニフォールド）
１４４    排気ポート
１４６    排気ポート
１４８    気体燃料放出ノズル
１５０    気体燃料放出ノズル
１５２    燃焼室
１５４    座繰穴
１５６    環状肩部
１５６    環状肩部
１５８    環状フランジ部
【図１】
0003162339.tif 000003
【図２】
0003162339.tif 000004
【図３】
0003162339.tif 000005
【手続補正書】
【提出日】平成21年7月31日(2009.7.31)
【手続補正１】
【補正対象書類名】実用新案登録請求の範囲
【補正対象項目名】全文
【補正方法】変更
【補正の内容】
【実用新案登録請求の範囲】
【請求項１】
液体燃料を気体燃料に変換するための液体燃料供給蒸発器システムにおいて、
液体燃料源と、
蒸発プロセスによって液体燃料を気体燃料に変換するための蒸発器素子と、
前記液体燃料源と前記蒸発器素子との間に配置され前記液体燃料源から液体燃料を前記蒸発器素子へ導くための液体燃料分配マニフォールドと、
前記蒸発器素子と熱的に連通するように配置され前記蒸発器素子を加熱して該蒸発器素子が蒸発プロセスによって前記液体燃料を気体燃料に変換可能とする加熱されたハウジングとを具備する液体燃料供給蒸発器システム。
【請求項２】
前記蒸発器素子は焼結金属によって形成されている請求項１に記載の液体燃料供給蒸発器システム。
【請求項３】
前記液体燃料供給源と前記液体燃料分配マニフォールドとの間に配置され、前記液体燃料源から前記液体燃料分配マニフォールド内に所定量の液体燃料を供給するための液体燃料供給弁を更に具備する請求項１に記載の液体燃料供給蒸発器システム。
【請求項４】
前記液体燃料分配マニフォールド内には、前記液体燃料弁によって該液体燃料分配マニフォールドに供給された液体燃料を、前記蒸発器素子の異なる複数の領域に分配するための複数の流体通路が形成されている請求項１に記載の液体燃料供給蒸発器システム。
【請求項５】
前記液体燃料分配マニフォールドは金属によって形成され、かつ、前記加熱されたハウジングに熱的に連通するように配置されており、該加熱されたハウジングによって加熱されるようになっている請求項１に記載の液体燃料供給蒸発器システム。
【請求項６】
前記蒸発器素子は、前記加熱されたハウジングと前記加熱された液体燃料分配マニフォールドとの間に配置されており、前記加熱されたハウジングと前記加熱された液体燃料分配マニフォールドの双方によって加熱されるようになっている請求項５に記載の液体燃料供給蒸発器システム。
【請求項７】
前記加熱された液体燃料分配マニフォールドは、該液体燃料分配マニフォールドの外面部分が前記液体燃料蒸発器素子の内面部分に接触するように、該液体燃料蒸発器素子内に配置されており、前記蒸発器素子は、該蒸発器素子の外面部分が前記加熱されたハウジングの内面部分に接触するように、該加熱されたハウジング内に配置されている請求項６に記載の液体燃料供給蒸発器システム。
【請求項８】
前記加熱されたハウジングには気体燃料放出ポートが形成されており、
前記液体燃料蒸発器素子は、該液体燃料蒸発素子の下流側端部が前記気体燃料放出ポートに連通し気体燃料が前記気体燃料放出ポートへ導かれるように、前記加熱されたハウジング内に配置されている請求項７に記載の液体燃料供給蒸発器システム。
【請求項９】
前記加熱されたハウジングに配設され、内部で気体燃料を燃焼させる燃焼装置へ向けて気体燃料を放出するための複数の気体燃料放出ノズルと、
前記加熱されたハウジング内に配設され、前記気体燃料放出ポートおよび前記複数の気体燃料放出ノズルに連通した気体燃料分配マニフォールドであって、前記気体燃料放出ポートから前記複数の気体燃料放出ノズルへ気体燃料を分配するための気体燃料分配マニフォールドとを更に具備した請求項８に記載の液体燃料供給蒸発器システム。
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
液体燃料を気体燃料に変換するための液体燃料供給蒸発器システムにおいて、
液体燃料供給源と、
蒸発プロセスによって液体燃料を気体燃料に変換するための蒸発器素子と、
前記液体燃料供給源と前記蒸発器素子との間に配置され前記液体燃料供給源から液体燃料を前記蒸発器素子へ導くための液体燃料分配マニフォールドと、
前記蒸発器素子と熱的に連通するように配置され前記蒸発器素子を加熱して該蒸発器素子が蒸発プロセスによって前記液体燃料を気体燃料に変換可能とする加熱されたハウジングとを具備する液体燃料供給蒸発器システム。
【請求項２】
前記蒸発器素子は焼結金属によって形成されている請求項１に記載の液体燃料供給蒸発器システム。
【請求項３】
前記液体燃料供給源と前記液体燃料分配マニフォールドとの間に配置され、前記液体燃料供給源から前記液体燃料分配マニフォールド内に所定量の液体燃料を供給するための液体燃料供給弁を更に具備する請求項１に記載の液体燃料供給蒸発器システム。
【請求項４】
前記液体燃料分配マニフォールド内には、前記液体燃料供給弁によって該液体燃料分配マニフォールドに供給された液体燃料を、前記蒸発器素子の異なる複数の領域に分配するための複数の流体通路が形成されている請求項１に記載の液体燃料供給蒸発器システム。
【請求項５】
前記液体燃料分配マニフォールドは金属によって形成され、かつ、前記加熱されたハウジングに熱的に連通するように配置されており、該加熱されたハウジングによって加熱されるようになっている請求項１に記載の液体燃料供給蒸発器システム。
【請求項６】
前記蒸発器素子は、前記加熱されたハウジングと前記加熱された液体燃料分配マニフォールドとの間に配置されており、前記加熱されたハウジングと前記加熱された液体燃料分配マニフォールドの双方によって加熱されるようになっている請求項５に記載の液体燃料供給蒸発器システム。
【請求項７】
前記加熱された液体燃料分配マニフォールドは、該液体燃料分配マニフォールドの外面部分が前記蒸発器素子の内面部分に接触するように、該蒸発器素子内に配置されており、前記蒸発器素子は、該蒸発器素子の外面部分が前記加熱されたハウジングの内面部分に接触するように、該加熱されたハウジング内に配置されている請求項６に記載の液体燃料供給蒸発器システム。
【請求項８】
前記加熱されたハウジングには気体燃料放出ポートが形成されており、
前記蒸発器素子は、該液体燃料蒸発素子の下流側端部が前記気体燃料放出ポートに連通し気体燃料が前記気体燃料放出ポートへ導かれるように、前記加熱されたハウジング内に配置されている請求項７に記載の液体燃料供給蒸発器システム。
【請求項９】
前記加熱されたハウジングに配設され、内部で気体燃料を燃焼させる燃焼装置へ向けて気体燃料を放出するための複数の気体燃料放出ノズルと、
前記加熱されたハウジング内に配設され、前記気体燃料放出ポートおよび前記複数の気体燃料放出ノズルに連通した気体燃料分配マニフォールドであって、前記気体燃料放出ポートから前記複数の気体燃料放出ノズルへ気体燃料を分配するための気体燃料分配マニフォールドとを更に具備した請求項８に記載の液体燃料供給蒸発器システム。
【手続補正書】
【提出日】平成22年6月23日(2010.6.23)
【手続補正１】
【補正対象書類名】実用新案登録請求の範囲
【補正対象項目名】全文
【補正方法】変更
【補正の内容】
【実用新案登録請求の範囲】
【請求項１】
液体燃料を気体燃料に変換するための液体燃料供給蒸発器システムにおいて、
液体燃料供給源と、
蒸発プロセスによって液体燃料を気体燃料に変換するための蒸発器素子と、
前記液体燃料供給源と前記蒸発器素子との間に配置され前記液体燃料供給源から液体燃料を前記蒸発器素子へ導くための液体燃料分配マニフォールドと、
前記蒸発器素子と熱的に連通するように配置され前記蒸発器素子を加熱して該蒸発器素子が蒸発プロセスによって前記液体燃料を気体燃料に変換可能とする加熱されたハウジングとを具備する液体燃料供給蒸発器システム。
【請求項２】
前記蒸発器素子は焼結金属によって形成されている請求項１に記載の液体燃料供給蒸発器システム。
【請求項３】
前記液体燃料供給源と前記液体燃料分配マニフォールドとの間に配置され、前記液体燃料供給源から前記液体燃料分配マニフォールド内に所定量の液体燃料を供給するための液体燃料供給弁を更に具備する請求項１に記載の液体燃料供給蒸発器システム。
【請求項４】
前記液体燃料分配マニフォールド内には、前記液体燃料供給弁によって該液体燃料分配マニフォールドに供給された液体燃料を、前記蒸発器素子の異なる複数の領域に分配するための複数の流体通路が形成されている請求項３に記載の液体燃料供給蒸発器システム。
【請求項５】
前記液体燃料分配マニフォールドは金属によって形成され、かつ、前記加熱されたハウジングに熱的に連通するように配置されており、該加熱されたハウジングによって加熱されるようになっている請求項１に記載の液体燃料供給蒸発器システム。
【請求項６】
前記蒸発器素子は、前記加熱されたハウジングと前記加熱された液体燃料分配マニフォールドとの間に配置されており、前記加熱されたハウジングと前記加熱された液体燃料分配マニフォールドの双方によって加熱されるようになっている請求項５に記載の液体燃料供給蒸発器システム。
【請求項７】
前記加熱された液体燃料分配マニフォールドは、該液体燃料分配マニフォールドの外面部分が前記蒸発器素子の内面部分に接触するように、該蒸発器素子内に配置されており、前記蒸発器素子は、該蒸発器素子の外面部分が前記加熱されたハウジングの内面部分に接触するように、該加熱されたハウジング内に配置されている請求項６に記載の液体燃料供給蒸発器システム。
【請求項８】
前記加熱されたハウジングには気体燃料放出ポートが形成されており、
前記蒸発器素子は、該蒸発器素子の下流側端部が前記気体燃料放出ポートに連通し気体燃料が前記気体燃料放出ポートへ導かれるように、前記加熱されたハウジング内に配置されている請求項７に記載の液体燃料供給蒸発器システム。
【請求項９】
前記加熱されたハウジングに配設され、内部で気体燃料を燃焼させる燃焼装置へ向けて気体燃料を放出するための複数の気体燃料放出ノズルと、
前記加熱されたハウジング内に配設され、前記気体燃料放出ポートおよび前記複数の気体燃料放出ノズルに連通した気体燃料分配マニフォールドであって、前記気体燃料放出ポートから前記複数の気体燃料放出ノズルへ気体燃料を分配するための気体燃料分配マニフォールドとを更に具備した請求項８に記載の液体燃料供給蒸発器システム。